(57)【要約】  電子タバコであって、発熱ユニットを備え、発熱ユニットは、剣型形状のケーシング（１０）と、ケーシング（１０）の内腔（１６）に嵌着された発熱・温度制御ユニット（２０）とを備え、発熱・温度制御ユニット（２０）は、金属発熱板（２１）および／または金属発熱板（２１）とケーシング（１０）との間に位置する温度制御部材（２２）とを含む。剣型形状のケーシング（１０）と、ケーシング（１０）の内腔（１６）に嵌着される金属発熱板（２１）と、金属発熱板（２１）とケーシング（１０）との間に位置する温度制御部材（２２）とを設けることにより、発熱面積が大きく、構造が簡単である効果を達成する。【選択図】図４
2021536107.tif 000002
【特許請求の範囲】
【請求項１】
剣型形状のケーシングと、前記ケーシングの内腔に嵌着された発熱・温度制御ユニットとを備え、前記発熱・温度制御ユニットは、金属発熱板および／または金属発熱板とケーシングとの間に位置する温度制御部材とを含むことを特徴とする発熱ユニット。  
【請求項２】
前記発熱・温度制御ユニットの外部に絶縁層が被覆されていることを特徴とする請求項１に記載の発熱ユニット。
【請求項３】
前記絶縁層はマイカペーパーであることを特徴とする請求項２に記載の発熱ユニット。
【請求項４】
前記発熱板は一体型の対称式構造であることを特徴とする請求項１に記載の発熱ユニット。
【請求項５】
前記発熱板は、基本単位の間隔設置および／または首尾接続で形成され、前記基本単位は、規則型構造または異型構造の１つまたは複数の組み合わせであることを特徴とする請求項４に記載の発熱ユニット。
【請求項６】
前記発熱板は、一側が基本単位の間隔設置および／または首尾接続で形成され、他側が規則型構造であり、前記基本単位は、規則型構造または異型構造の１つまたは複数の組み合わせであることを特徴とする請求項１に記載の発熱ユニット。
【請求項７】
前記ケーシングは金属材質であり、一体成形構造であり、前記ケーシングの外部に対して研磨処理および／または、ケーシングに対してナノテフロンコーティングの電気メッキを行うことを特徴とする請求項１〜６のいずれか一項に記載の発熱ユニット。
【請求項８】
前記ハウジングはセラミック材質であり、前記ハウジングは一体成形構造であり、前記剣型形状のケーシングの、前記剣刃縁に刃先が設けられ、および／または端部に剣先が設けられることを特徴とする請求項１〜６のいずれか一項に記載の発熱ユニット。
【請求項９】
前記温度制御部材はＫ型熱電対および／またはＴＣＲ温度制御モジュールであることを特徴とする請求項１〜６のいずれか一項に記載の発熱ユニット。
【請求項１０】
請求項１〜９のいずれか一項に記載の発熱ユニットを備える電子タバコ。
【発明の詳細な説明】
【技術分野】
【０００１】
本発明は加熱分野に関し、具体的には、発熱ユニットおよび電子タバコに関する。
【背景技術】
【０００２】
発熱ユニットは日常消費品の中でよく使われる部品であり、従来の発熱ユニットは、発熱面積が小さく、パワーが低く、構造が複雑で、絶縁性が悪いため、消費者に使用上の不便をもたらし、日常製品、例えば電子タバコのタバコロッド中の加熱要求を満たすことができなく、甚だしい場合、その構造設計の欠陥で使用者に人身傷害を与えるため、この問題を解決するために新型構造の発熱ユニットが必要である。
【発明の概要】
【発明が解決しようとする課題】
【０００３】
本発明が解決しようとする課題は下記のとおりである。従来の発熱ユニットにおける発熱面積が小さく、構造が複雑である問題を解決する発熱ユニットおよび電子タバコを提供する。
【課題を解決するための手段】
【０００４】
本発明が課題を解決するために提供される技術的な解決策は下記のとおりである。発熱ユニットであって、剣型形状のケーシングと、前記ケーシングの内腔に嵌着された発熱・温度制御ユニットとを備え、前記発熱・温度制御ユニットは、金属発熱板および／または金属発熱板とケーシングとの間に位置する温度制御部材とを含む。
【０００５】
上記解決策の改良として、前記発熱・温度制御ユニットの外部に絶縁層が被覆されている。
【０００６】
上記解決策の更なる改良として、前記絶縁層はマイカペーパーである。
【０００７】
上記解決策の改良として、前記発熱板は一体型の対称式構造である。
【０００８】
上記解決策の改良として、前記発熱板は、基本単位の間隔設置および／または首尾接続で形成され、前記基本単位は、規則型構造または異型構造の１つまたは複数の組み合わせである。
【０００９】
上記解決策の改良として、前記ケーシングは金属材質であり、一体成形構造であり、前記ケーシングの外部に対して研磨処理および／または、ケーシングに対してナノテフロンコーティングの電気メッキを行う。
【００１０】
上記解決策の更なる改良として、前記ハウジングはセラミック材質であり、前記ハウジングは一体成形構造であり、前記剣型形状のケーシングの、前記剣刃縁に刃先が設けられ、および／または端部に剣先が設けられる。
【００１１】
上記解決策の更なる改良として、前記温度制御部材はＫ型熱電対および／またはＴＣＲ温度制御モジュールである。
【００１２】
本発明は、以上のいずれか一項に記載の発熱ユニットを備える電子タバコをさらに提供する。
【発明の効果】
【００１３】
本発明の有益な効果は下記のとおりである。剣型形状のケーシング、ケーシングの内腔に嵌着される金属発熱板、金属発熱板とケーシングの間に位置する温度制御モジュールを設置することによって、発熱面積が大きく、構造が簡単である発熱ユニットおよび電子タバコを形成する。
【図面の簡単な説明】
【００１４】
本発明の実施例における技術的な解決策をより明確に説明するために、以下では、実施例の説明に必要な図面について簡単に説明する。
【図１】本発明の発熱ユニットの一実施形態の概略図である。
【図２】図１の発熱ユニットの断面図である。
【図３】本発明の発熱ユニットの第２実施形態の概略図である。
【図４】図３の発熱ユニットの断面図である。
【図５】本発明の発熱板の一実施形態の概略図である。
【図６】本発明の発熱板の第２実施形態の概略図である。
【図７】本発明の発熱板の第３実施形態の概略図である。
【発明を実施するための形態】
【００１５】
以下では、本発明の目的、解決策および効果を十分に理解するために、本発明の実施例と図面とを組み合わせて、本発明の構想、具体的な構成および達成する技術的効果を明確かつ完全に説明する。なお、衝突することがない限り、本願における実施例および実施例における特徴を組み合わせることができる。また、本発明で用いられる「上」、「下」、「左」、「右」などの記述は、図中の本発明の各構成要素の相互位置関係にのみ着目したものである。
【００１６】
実施例１
図１は本発明の発熱ユニットの一実施形態の概略図であり、図２は図１の発熱ユニットの断面図である。図１および図２を参照すると、発熱ユニットは、剣型形状のケーシング１０と、ケーシング１０内に嵌着される発熱・温度制御ユニット２０とを備える。発熱・温度制御ユニット２０は、金属発熱板である。ケーシング１０は、全体として、剣先１１と、剣刃１２と、ベース１３との三段式構造である。ケーシング１０の根元の強度を向上させるため、剣刃１２とベース１３との接合面に円弧状の滑らかな移行構造１４が設けられる。剣刃１２の縁周辺には刃先１２１が設けられる。剣先１１、刃先１２１の設置によって、発熱ユニットが実際の使用中に、例えば電子タバコのタバコロッドなどの製品の中または製品間に挿入されて加熱されることを容易にする。
【００１７】
好ましくは、ハウジング１０は、ケーシングの一致性が良く、加工コストが低いように、金属材料で一体成形することができ、また、従来の組み合わせ式ケーシングとベースに比べて、加熱によりケーシングが不用意に飛び出したり、ベースから外れたりするという問題を完全になくす。
【００１８】
好ましくは、金属ハウジング１０に対して研磨処理および／またはナノテフロンコーティングの電気メッキを行うことができ、それによりハウジングの耐高温性能を向上させ、ハウジングの耐用年数を延長し、ハウジングの外表面の摩擦係数を低減し、使用者が電子タバコのタバコロッドのような製品の中に発熱ユニットを挿入して加熱することを容易にする。
【００１９】
好ましくは、ハウジング１０は食品級セラミック材料で一体成形構造を採用することもでき、発熱ユニットの絶縁性を大幅に向上させることができる。
【００２０】
さらに、発熱・温度制御ユニット２０の外部には、マイカペーパーで形成された絶縁層が被覆され、発熱ユニットの絶縁性能をさらに向上させ、発熱ユニットの安全性と信頼性を確保する。
【００２１】
ハウジング１０のベース１３の開口端に、ベルマウス１５が設けられ、セラミックセメントにより発熱・温度制御ユニットをハウジング１０の内部に封止するために利用される。
【００２２】
実施例２
図３は本発明の発熱ユニットの第２実施形態の概略図であり、図４は図３の発熱ユニットの断面図である。図３および図４を参照すると、実施例１に比べて、実施例２はケーシング１０が扁平状であり、側面が円弧面であり、ケーシングの一端に剣先１１が設けられ、温度制御モジュール２０が金属発熱板２１と温度制御部材２２を含み、温度制御部材２２が金属発熱板２１とハウジング１０の内腔１６との間に位置し、温度制御部材２２がＫ型熱電対および／またはＴＣＲ温度制御モジュールであってもよいことで異なる。従来の電気抵抗型温度センサと比較して、本発明に適用の温度制御部材２２は、温度変化による電気抵抗型温度センサの測定温度が不正確であるという問題をなくすことができ、発熱ユニットの信頼性、安定性を確保することができる。発熱ユニットの他の部分の構造形状は実施例１の構造と同様であり、ここでは再び説明しない。
【００２３】
図５は本発明の発熱ユニットにおける発熱板の第一実施形態の概略図である。図５を参照すると、金属発熱板３０は全体的に対称構造をなし、金属発熱板３０の下部は２枚の広い片状の連結部３１であり、連結部３１の間には全体的に略Ｓ字状に首尾部が接している発熱体３２があり、発熱ユニットのハウジングを加熱するために用いられる。このように構成される金属発熱板３０は、空間に対する加熱が均一であり、構造が簡単で、生産加工を容易にするとともに、発熱板の相互接続による短絡の問題は発生せず、安全性と安定性が高い。
【００２４】
図６は、本発明の発熱ユニットにおける発熱板の第２実施形態の概略図である。図６を参照すると、金属発熱板３０は全体的にも対称式構造であり、金属発熱板３０の下部は２枚の広い片状の連結部３１であり、連結部３１の間には複数の基本単位４０が首尾に接して形成された発熱体３２があり、基本単位は規則的に略凹字状の構造であり、このような構造の発熱体３２は、従来の発熱糸と比べて、発熱面積が大きく、構造が簡単で、生産と取付が容易である。
【００２５】
図７は、本発明の発熱ユニットにおける発熱板の第３実施形態の概略図である。図７を参照すると、金属発熱板３０は全体的に非対称構造となり、金属発熱板３０の下部は２枚の広い片状の連結部３１であり、連結部３１の一側には基本単位４０からなる首尾に接している発熱体３２があり、連結部３１の他側には規則的な構造からなる発熱体３２が形成される。このような構造の発熱板３０は、一側には安定した加熱区間を形成し、他側には交互に変化する加熱区間を形成して、本発明の発熱ユニットの適用範囲を広げることができる。
【００２６】
なお、本発明は、発熱ユニットの適用領域を限定するものではなく、発熱板３０の基本単位４０の構造形状も限定せず、基本単位４０は、例えば三角形、矩形、台形、平行四角形、Ｓ型、凹形、凸形などの規則型構造であってもよいし、異型構造であってもよく、実際の使用において、具体的な応用場面に応じて、規則型構造および／または異型構造を自由に選択しまたは組み合わせることができる。
【００２７】
本発明は、以上のいずれか一項に記載の発熱ユニットを備える電子タバコをさらに提供する。
【００２８】
以上の記載から分かるように、本発明は、剣型形状のケーシングと、ケーシングの内腔に嵌着される発熱板と、金属発熱板とケーシングとの間に位置する温度制御モジュールとを設置することにより、発熱面積が大きく、構造が簡単で、使用しやすい発熱ユニットと電子タバコを形成する。
【００２９】
本発明は、好ましい実施形態で具体的に示され、説明されているが、当業者であれば分かるように、前記特許請求の範囲によって定められた本発明の精神および範囲から逸脱することなく、種々の形式的および詳細的な変更が可能であり、いずれも本発明の保護範囲である。
【図１】
2021536107.tif 000003
【図２】
2021536107.tif 000004
【図３】
2021536107.tif 000005
【図４】
2021536107.tif 000006
【図５】
2021536107.tif 000007
【図６】
2021536107.tif 000008
【図７】
2021536107.tif 000009
【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
剣型形状のケーシングと、前記ケーシングの内腔に嵌着された発熱・温度制御ユニットとを備え、前記発熱・温度制御ユニットは、金属発熱板および／または金属発熱板とケーシングとの間に位置する温度制御部材とを含むことを特徴とする発熱ユニット。  
【請求項２】
前記発熱・温度制御ユニットの外部に絶縁層が被覆されていることを特徴とする請求項１に記載の発熱ユニット。
【請求項３】
前記絶縁層はマイカペーパーであることを特徴とする請求項２に記載の発熱ユニット。
【請求項４】
前記発熱板は一体型の対称式構造であることを特徴とする請求項１に記載の発熱ユニット。
【請求項５】
前記発熱板は、基本単位の間隔設置および／または首尾接続で形成され、前記基本単位は、規則型構造または異型構造の１つまたは複数の組み合わせであることを特徴とする請求項４に記載の発熱ユニット。
【請求項６】
前記発熱板は、一側が基本単位の間隔設置および／または首尾接続で形成され、他側が規則型構造であり、前記基本単位は、規則型構造または異型構造の１つまたは複数の組み合わせであることを特徴とする請求項１に記載の発熱ユニット。
【請求項７】
前記ケーシングは金属材質であり、一体成形構造であり、前記ケーシングの外部に対して研磨処理および／または、ケーシングに対してナノテフロンコーティングの電気メッキを行うことを特徴とする請求項１〜６のいずれか一項に記載の発熱ユニット。
【請求項８】
前記ケーシングはセラミック材質であり、前記ケーシングは一体成形構造であり、前記剣型形状のケーシングの、前記剣刃縁に刃先が設けられ、および／または端部に剣先が設けられることを特徴とする請求項１〜６のいずれか一項に記載の発熱ユニット。
【請求項９】
前記温度制御部材はＫ型熱電対および／またはＴＣＲ温度制御モジュールであることを特徴とする請求項１〜６のいずれか一項に記載の発熱ユニット。
【請求項１０】
請求項１〜９のいずれか一項に記載の発熱ユニットを備える電子タバコ。
【手続補正２】
【補正対象書類名】明細書
【補正対象項目名】００１０
【補正方法】変更
【補正の内容】
【００１０】
上記解決策の更なる改良として、前記ケーシングはセラミック材質であり、前記ケーシングは一体成形構造であり、前記剣型形状のケーシングの、前記剣刃縁に刃先が設けられ、および／または端部に剣先が設けられる。
【手続補正３】
【補正対象書類名】明細書
【補正対象項目名】００１７
【補正方法】変更
【補正の内容】
【００１７】
好ましくは、ケーシング１０は、ケーシングの一致性が良く、加工コストが低いように、金属材料で一体成形することができ、また、従来の組み合わせ式ケーシングとベースに比べて、加熱によりケーシングが不用意に飛び出したり、ベースから外れたりするという問題を完全になくす。
【手続補正４】
【補正対象書類名】明細書
【補正対象項目名】００１８
【補正方法】変更
【補正の内容】
【００１８】
好ましくは、金属ケーシング１０に対して研磨処理および／またはナノテフロンコーティングの電気メッキを行うことができ、それによりケーシングの耐高温性能を向上させ、ケーシングの耐用年数を延長し、ケーシングの外表面の摩擦係数を低減し、使用者が電子タバコのタバコロッドのような製品の中に発熱ユニットを挿入して加熱することを容易にする。
【手続補正５】
【補正対象書類名】明細書
【補正対象項目名】００１９
【補正方法】変更
【補正の内容】
【００１９】
好ましくは、ケーシング１０は食品級セラミック材料で一体成形構造を採用することもでき、発熱ユニットの絶縁性を大幅に向上させることができる。
【手続補正６】
【補正対象書類名】明細書
【補正対象項目名】００２１
【補正方法】変更
【補正の内容】
【００２１】
ケーシング１０のベース１３の開口端に、ベルマウス１５が設けられ、セラミックセメントにより発熱・温度制御ユニットをケーシング１０の内部に封止するために利用される。
【手続補正７】
【補正対象書類名】明細書
【補正対象項目名】００２２
【補正方法】変更
【補正の内容】
【００２２】
実施例２
図３は本発明の発熱ユニットの第２実施形態の概略図であり、図４は図３の発熱ユニットの断面図である。図３および図４を参照すると、実施例１に比べて、実施例２はケーシング１０が扁平状であり、側面が円弧面であり、ケーシングの一端に剣先１１が設けられ、温度制御モジュール２０が金属発熱板２１と温度制御部材２２を含み、温度制御部材２２が金属発熱板２１とケーシング１０の内腔１６との間に位置し、温度制御部材２２がＫ型熱電対および／またはＴＣＲ温度制御モジュールであってもよいことで異なる。従来の電気抵抗型温度センサと比較して、本発明に適用の温度制御部材２２は、温度変化による電気抵抗型温度センサの測定温度が不正確であるという問題をなくすことができ、発熱ユニットの信頼性、安定性を確保することができる。発熱ユニットの他の部分の構造形状は実施例１の構造と同様であり、ここでは再び説明しない。
【手続補正８】
【補正対象書類名】明細書
【補正対象項目名】００２３
【補正方法】変更
【補正の内容】
【００２３】
図５は本発明の発熱ユニットにおける発熱板の第一実施形態の概略図である。図５を参照すると、金属発熱板３０は全体的に対称構造をなし、金属発熱板３０の下部は２枚の広い片状の連結部３１であり、連結部３１の間には全体的に略Ｓ字状に首尾部が接している発熱体３２があり、発熱ユニットのケーシングを加熱するために用いられる。このように構成される金属発熱板３０は、空間に対する加熱が均一であり、構造が簡単で、生産加工を容易にするとともに、発熱板の相互接続による短絡の問題は発生せず、安全性と安定性が高い。
【国際調査報告】
2021536107.tif 000010
2021536107.tif 000011
2021536107.tif 000012
2021536107.tif 000013
2021536107.tif 000014
2021536107.tif 000015